(57)【要約】  【課題】水密性、耐久性に優れ、取付作業が容易であって、コストも低減することができる止水ゴムユニット及び止水ゴム装置を提供する。  【解決手段】樋状部８の両側部上端から張り出す１対の張出し部の一方が継手部９ａ，９ｂを形成し、他方が取付け部９ｃを形成し、継手部９ａ，９ｂには係合部１１，１５が設けられている２つの端部止水ゴムユニット５，６と、樋状部８の両側部上端から張り出す１対の張出し部のいずれもが継手部９ａ，９ｂを形成し、継手部９ａ，９ｂには係合部１１，１３が設けられている少なくとも１つの中間部止水ゴムユニット７とを備え、端部止水ゴムユニット５，６及び中間部止水ゴムユニット７は、遊間Ｓに並列して配置され、互いに隣接する止水ゴムユニット５，６，７は、それらの継手部の係合部１１，１５が互いに係合し、端部止水ゴムユニット５，６の取付け部９ｃがウェブ５３に設けた嵌入部１７に嵌入している。  【選択図】  図６
2008184850.tif 000002
【特許請求の範囲】
【請求項１】
桁端部間又は桁端部と橋台との間に形成される遊間に設置される伸縮装置のための止水ゴムユニットであって、
樋状部と、この樋状部の両側部上端から外方に張り出し、該樋状部の長手方向に沿って延びる１対の張出し部とを有し、
前記張出し部の一方は止水ゴムユニットどうしを連結するための継手部を形成し、他方は桁端部又は橋台に設置されるウェブへの取付け部を形成し、
前記継手部にはその長手方向に沿って係合部が設けられていることを特徴とする橋梁の伸縮装置用止水ゴムユニット。
【請求項２】
前記係合部は前記継手部の側面に形成されていることを特徴とする請求項１記載の橋梁の伸縮装置用止水ゴムユニット。
【請求項３】
桁端部間又は桁端部と橋台との間に形成される遊間に設置される伸縮装置のための止水ゴムユニットであって、
樋状部と、この樋状部の両側部上端から外方に張り出し、該樋状部の長手方向に沿って延びる１対の張出し部とを有し、
前記張出し部はいずれも止水ゴムユニットどうしを連結するための継手部を形成し、これら継手部にはその長手方向に沿って係合部がそれぞれ設けられていることを特徴とする橋梁の伸縮装置用止水ゴムユニット。
【請求項４】
前記係合部は前記継手部の側面に形成されていることを特徴とする請求項３記載の橋梁の伸縮装置用止水ゴムユニット。
【請求項５】
桁端部間又は桁端部と橋台との間に形成される遊間に設置される伸縮装置のための止水ゴム装置であって、
樋状部と、この樋状部の両側部上端から外方に張り出し、該樋状部の長手方向に沿って延びる１対の張出し部とを有し、前記張出し部の一方は止水ゴムユニットどうしを連結するための継手部を形成し、他方は桁端部又は橋台に設置されるウェブへの取付け部を形成し、前記継手部にはその長手方向に沿って係合部が設けられている２つの端部止水ゴムユニットと、
樋状部と、この樋状部の両側部上端から外方に張り出し、該樋状部の長手方向に沿って延びる１対の張出し部とを有し、前記張出し部はいずれも止水ゴムユニットどうしを連結するための継手部を形成し、これら継手部にはその長手方向に沿って係合部がそれぞれ設けられている少なくとも１つの中間部止水ゴムユニットとを備え、
前記端部止水ゴムユニット及び中間部止水ゴムユニットは、前記遊間に桁端部の幅方向に沿って並列して配置され、
互いに隣接する止水ゴムユニットは、それらの継手部の前記係合部が互いに係合し、
端部止水ゴムユニットの前記取付け部が前記ウェブに設けられた嵌入部に嵌入していることを特徴とする橋梁の伸縮装置用止水ゴム装置。
【発明の詳細な説明】
【技術分野】
【０００１】
この発明は、橋梁の伸縮装置用止水ゴムユニット及び止水ゴム装置に関し、さらに詳細には、橋梁の桁端部間又は桁端部と橋台との間に形成される遊間に設置されるフィンガージョイント等の伸縮装置のための止水技術に関する。
【背景技術】
【０００２】
橋梁において、橋桁は鋼製あるいはコンクリート製いずれのものであっても、温度変化などにより伸縮する。このため桁端部間あるいは桁端部と橋台との間には、桁の伸縮を吸収するために所定大きさの遊間が形成されている。そして、この遊間には車両の走行が可能なようにフィンガージョイント等の伸縮装置が設置されている。さらに、伸縮装置の下方には路面からの雨水等が伸縮装置を通して滴下するのを防止するために、止水装置が設置されている。
【０００３】
従来、この止水装置としては、フィンガージョイントの場合、遊間にバックアップ材を設置し、このバックアップ材とフィンガージョイントとの間に弾性シール材を充填したものが知られている。しかし、この止水装置は、高価で耐久性に問題があるため、新たな止水装置の開発が望まれていた。また、止水部分の高さが高くなることから、ジョイント部全体の構造が大きくなり、構造を簡素化してコスト低減を図るフィンガージョイントには適さないものであった。
【０００４】
このようなことから、特許文献１に記載のように、伸縮フォーム層を主体とし、遊間を形成する桁端部のウェブに接着して取り付けられる止水材が開発されている。この止水材は、簡素な構造であるが、水密性はウェブとの接着性によるところが大きく、接着性が悪いと水漏れのおそれがある。また、伸縮量が大きいときには止水材の伸縮量では追従できない場合があった。
【特許文献１】特許第３５６４５７１号公報
【発明の開示】
【発明が解決しようとする課題】
【０００５】
この発明は上記のような技術的背景に基づいてなされたものであって、次の目的を達成するものである。
この発明の目的は、構造が極めて簡素であるだけでなく、水密性、耐久性に優れ、しかも取付作業が容易であって、コストも低減することができる止水ゴムユニット及び止水ゴム装置を提供することにある。
【課題を解決するための手段】
【０００６】
この発明は上記課題を達成するために、次のような手段を採用している。
すなわち、この発明は、桁端部間又は桁端部と橋台との間に形成される遊間に設置される伸縮装置のための止水ゴムユニットであって、
樋状部と、この樋状部の両側部上端から外方に張り出し、該樋状部の長手方向に沿って延びる１対の張出し部とを有し、
前記張出し部の一方は止水ゴムユニットどうしを連結するための継手部を形成し、他方は桁端部又は橋台に設置されるウェブへの取付け部を形成し、
前記継手部にはその長手方向に沿って係合部が設けられていることを特徴とする橋梁の伸縮装置用止水ゴムユニットにある。
【０００７】
また、この発明は、桁端部間又は桁端部と橋台との間に形成される遊間に設置される伸縮装置のための止水ゴムユニットであって、
樋状部と、この樋状部の両側部上端から外方に張り出し、該樋状部の長手方向に沿って延びる１対の張出し部とを有し、
前記張出し部はいずれも止水ゴムユニットどうしを連結するための継手部を形成し、これら継手部にはその長手方向に沿って係合部がそれぞれ設けられていることを特徴とする橋梁の伸縮装置用止水ゴムユニットにある。
【０００８】
上記各止水ゴムユニットにおいて、前記係合部は前記継手部の側面に形成されている構造を採用することができる。
【０００９】
さらに、この発明は、桁端部間又は桁端部と橋台との間に形成される遊間に設置される伸縮装置のための止水ゴム装置であって、
樋状部と、この樋状部の両側部上端から外方に張り出し、該樋状部の長手方向に沿って延びる１対の張出し部とを有し、前記張出し部の一方は止水ゴムユニットどうしを連結するための継手部を形成し、他方は桁端部又は橋台に設置されるウェブへの取付け部を形成し、前記継手部にはその長手方向に沿って係合部が設けられている２つの端部止水ゴムユニットと、
樋状部と、この樋状部の両側部上端から外方に張り出し、該樋状部の長手方向に沿って延びる１対の張出し部とを有し、前記張出し部はいずれも止水ゴムユニットどうしを連結するための継手部を形成し、これら継手部にはその長手方向に沿って係合部がそれぞれ設けられている少なくとも１つの中間部止水ゴムユニットとを備え、
前記端部止水ゴムユニット及び中間部止水ゴムユニットは、前記遊間に桁端部の幅方向に沿って並列して配置され、
互いに隣接する止水ゴムユニットは、それらの継手部の前記係合部が互いに係合し、
端部止水ゴムユニットの前記取付け部が前記ウェブに設けられた嵌入部に嵌入していることを特徴とする橋梁の伸縮装置用止水ゴム装置にある。
【発明の効果】
【００１０】
この発明によれば、止水ゴムユニットを組み合わせるという極めて簡素な構造によって伸縮装置の止水を図ることができる。そして、その止水ゴムユニットの数を調整することにより、容易に伸縮量を調整することができる。また、取付け部がウェブに設けた嵌入部に嵌入される構造であるので、確実な水密性を得られるだけでなく、取付け作業及び交換作業も容易に行うことができる。さらに、止水ゴム装置は各止水ゴムユニットの形状変化によって伸縮するので、ゴム自体には無理な力が加わらず、耐久性の向上を図ることができる。
【発明を実施するための最良の形態】
【００１１】
この発明の実施形態を図面を参照しながら以下に説明する。図１，図２及び図３には、この発明の止水ゴム装置が適用される伸縮装置として、フィンガージョイントが示されている。図面には互いに対向する橋桁５０，５０（コンクリート桁又は鋼桁）の端部が示され、この橋桁５０，５０の各端部には受け台５１が埋め込まれるモルタル部５０ａが形成されている。符合５０ｂは、アスファルト舗装を示している。受け台５１は水平プレート５２とこの水平プレート５２の前端部に橋桁５０の幅方向に沿って固定される鉛直向きのウェブ５３と、水平プレート５２及びウェブ５３に固定されるリブプレート５４とからなる。遊間Ｓは対向するウェブ５３，５３間に形成される。
【００１２】
リブプレート５４は桁端部の幅方向（橋軸直角方向）に間隔を置いて複数配置されている。これらのリブプレート５４には複数の開口穴５５が設けられ、各開口穴５５を貫通するように鉄筋５６が配置されている。この鉄筋５６は、モルタル部５０ａからの受け台５１の引抜き強度を高めるためのものである。
【００１３】
フィンガージョイントを構成する１対のフィンガーブロック５７，５７は、各受け台５１上に支持されている。フィンガーブロック５７はベース５８と、その中間部に桁端部の幅方向に沿って形成された立ち上がり部５９とを有している。ベース５８はハイテンションボルトを用いたアンカーボルト６０により受け台５１に固定されている。具体的には、アンカーボルト６０には上部に２つのナット６１が設けられ、これら２つのナット６１，６１にベース５８及び水平プレート５２が挟まれることにより、ベース５８が受け台５１に固定されている。なお、フィンガーブロック５７は、桁端部の幅方向に複数に分割して設置され、図１，図３にはその分割ユニットが符合５７ａで示されている。
【００１４】
ベース５８には立ち上がり部５９を基部として水平方向に延びるフィンガー６２が設けられている。フィンガー６２は桁端部の幅方向に間隔を置いて複数設けられ、すなわち櫛歯状となっていて、各フィンガーブロック５７のフィンガー６２は、遊間Ｓの上方部分で互いに噛み合い伸縮可能となっている。
【００１５】
フィンガーブロック５７は、ベース５８、立ち上がり部５９及びフィンガー６２を含めてダクタイル鋳鉄により一体に鋳造されている。フィンガーブロック５７は、ダクタイル鋳鉄製とすることによって、ダクタイルの制振効果を期待することができ、製作も容易となる。また、強度も高いためコンパクトな設計が可能となる。
【００１６】
フィンガージョイントの下方の遊間Ｓに、この発明による止水ゴム装置１が設置されている。各ウェブ５３にはサポートプレート２，２が取り付けられ（図４参照）、各サポートプレート２，２は互いに噛み合う複数の櫛歯３を有している。止水ゴム装置１は、この櫛歯２，２上にゴムプレート４を介して設置されている。
【００１７】
止水ゴム装置１は、複数の止水ゴムユニットを並列して連結して構成され、これら止水ゴムユニットが図５，図６及び図７に示されている。図５に示される止水ゴムユニット５は一方の端部に配置される端部止水ゴムユニットである。この端部止水ゴムユニット５は、略Ｕ字形の樋状部８と、その両側部上端から外方に張り出し、樋状部８の長手方向に沿って延びる１対の張出し部９ａ，９ｃとを有している。
【００１８】
１対の張出し部９ａ，９ｃのうち一方の張出し部９ａは、止水ゴムユニットどうしを連結するための継手部を形成する（以下、継手部とも称する）。この継手部９ａは側面で他の止水ゴムユニットと接合されるため、広い接合面を確保するために比較的大きな厚みを有している。継手部９ａの接合面となる側面１０にはその長手方向に沿って係合凸部（雄部）１１が形成されている。係合凸部１１は断面が矢先形の先端部１２を有している。
【００１９】
１対の張出し部９ａ，９ｃのうち他方の張出し部９ｃは、図２を参照して説明したウェブ５３への取付け部を形成する（以下、取付け部とも称する）。この取付け部９ｃは、下面にその長手方向に沿って係合凹部（雌部）１３が設けられている。
【００２０】
図６に示される止水ゴムユニット６は、他方の端部に配置される端部止水ゴムユニットである。この端部止水ゴムユニット６も、基本構成は前述の端部止水ゴムユニット５と同様であり、樋状部８、１対の張出し部９ｂ，９ｃを有している。この端部止水ゴムユニット６も止水ゴムユニット５と同様に、１対の張出し部９ｂ，９ｃがそれぞれ継手部及び取付け部を形成するが、他方の端部に配置されることから、継手部９ｂ及び取付け部９ｃは、端部止水ゴムユニット５のそれらとは形成位置が逆になっている。また、継手部９ｂの側面１４には、その長手方向に沿って係合凹部（雌部）１５が形成されている。この係合凹部１５は幅が狭められた入口１６を有している。
【００２１】
図７に示される止水ゴムユニット７は、中間部に配置される中間部止水ゴムユニットである。この中間部止水ゴムユニット７も、基本構成は前述の端部止水ゴムユニット５，６と同様であり、樋状部８、１対の張出し部９ａ，９ｂを有している。しかし、この中間部止水ゴムユニット７は、端部止水ゴムユニット５，６間に配置されることから、１対の張出し部９ａ，９ｂのいずれもが継手部を形成している。そして、これら継手部９ａ，９ｂは、端部止水ゴムユニット５，６の各継手部９ａ，９ｂと全く同様の形状を有し、それらの側面１０，１４には係合凸部１１及び係合凹部１５がそれぞれ形成されている。
【００２２】
図８は、止水ゴムユニット５，６，７を用いた止水ゴム装置１の取り付け形態を拡大して示す図である。図示の例では、止水ゴムユニットとして、２つの端部止水ゴムユニット５，６と、１つの中間部止水ゴムユニット７が用いられているが、遊間Ｓの大きさに応じて中間部止水ゴムユニット７の数を増やし、伸縮量を調整することができる。
【００２３】
各止水ゴムユニット５，６，７は桁端部の幅方向に沿って並列して配置され、端部止水ゴムユニット５，６と中間部止水ゴムユニット７とは、それらの継手部９ａ，９ｂを介して互いに連結されている。すなわち、各継手部９ｂに形成した係合凹部１５に係合凸部１１を嵌入させることにより、止水ゴムユニット５，６，７が連結されている。係合凸部１１は矢先形の先端部１２を有しているので、係合凹部１５の狭められた入口１６を容易に通過させることができ、逆に係合凸部１１を嵌入させた後は先端部１２が入口１６の縁部に係合するするので、容易に抜け出すことがない。
【００２４】
係合凹部１５は係合凸部１１の先端部１２よりも幾分か大きく、そのために形成される空隙には止水性を有するパテ材、例えばシリコンパテが充填される。なお、中間部止水ゴムユニット７を複数用いる場合も、同様にして係合凸部１１及び係合凹部１５の係合により、それら中間部止水ゴムユニットどうしを連結する。
【００２５】
一方、端部止水ゴムユニット５，６の取付け部９ｃについては、これを取り付けるための嵌入溝１７がウェブ５３に設けられている。ウェブ５３にはフィンガーブロックの端部の支持面を形成する上部フランジ１８と、下部フランジ１９とが桁端部の幅方向に沿って設けられ、これら上下部フランジ１８，１９によって嵌入溝１７が形成される。下部フランジ１９の上面には桁端部の幅方向に沿って係合凸部２０が設けられている。
【００２６】
端部止水ゴムユニット５，６の取付け部９ｃは、嵌入溝１７に嵌め込むことによってウェブ５３に取り付けられ、その結果、取付け部９ｃは上下部フランジ１８，１９間に挟持される。また、係合凸部２０と取付け部９ｃの下面に形成した係合凹部１３とが互いに係合する。なお、ウェブ５３としては、上記のような上下部フランジを有するモジュラー型ジョイント（伸縮装置）のエンドビームを使用することができる。
【００２７】
止水ゴム装置１の組み立ては施工現場でも行うことができるが、工場等で行うこともでき、この場合、施工現場では取付けのみを行えばよい。なお、止水ゴム装置１の取付け後、図２に示すように、各止水ゴムユニット５，６，７の内部に防音材２１を充填し、さらに止水ゴム装置１とフィンガーブロック５８，５８との間に防塵材２２を配置するようにしてもよい。防音材２１及び防塵材２２としては、発泡性ゴムを使用することができる。
【００２８】
図９は、上記止水ゴム装置１の作用説明図である。フィンガージョイントが伸長すると、（ａ）に示すように、各止水ゴムユニット５，６，７は、それらの上端部が開きながら互いに離間し、これによって止水ゴム装置１はフィンガージョイントに追従して拡張する。逆に、フィンガージョイントが短縮すると、（ｂ）に示すように、各止水ゴムユニット５，６，７は、それらの上端部が閉じながら互いに接近し、これによって止水ゴム装置１はフィンガージョイントに追従して縮小する。
【００２９】
上記のような止水ゴム装置によれば、止水ゴムユニット５，６，７を組み合わせるという極めて簡素な構造によって伸縮装置の止水を図ることができる。そして、これら止水ゴムユニットのうち、中間部止水ゴムユニット７の数を調整することにより、伸縮量を調整することができる。また、端部止水ゴムユニット５，６の取付け部９ｃがウェブ５３に設けた嵌入溝１７に嵌入される構造であるので、確実な水密性を得られるだけでなく、取付け作業及び交換作業も容易に行うことができる。さらに、止水ゴム装置は各止水ゴムユニットの形状変化によって伸縮するので、ゴム自体には無理な力が加わらず、耐久性の向上を図ることができる。
【００３０】
上記実施形態は例示にすぎず、この発明は種々の態様を採ることができる。例えば、各止水ゴムユニット５，６，７の各係合部を構成する凸部及び凹部は、図示の実施形態とは逆に、凸部を凹部に、凹部を凸部に代えることもできる。要は、互いに嵌り合って係合する構造とすればよい。また、これら係合凸部及び係合凹部は、一方向に連続したものではなく、部分的に設ける構造とすることもできる。さらに、この発明が適用されるのはフィンガージョイントに限られるものではなく、他の方式の伸縮装置にも適用できる。
【図面の簡単な説明】
【００３１】
【図１】この発明が適用されるフィンガージョイントの平面図である。
【図２】同フィンガージョイントの断面図である。
【図３】図２のＡ−Ａ線矢視による側面図である。
【図４】図２のＢ−Ｂ線矢視による下面図である。
【図５】一方の端部止水ゴムユニットの正面図である。
【図６】他方の端部止水ゴムユニットの正面図である。
【図７】中間部止水ゴムユニットの正面図である。
【図８】止水ゴム装置を拡大して示す断面図である。
【図９】作用説明図である。
【符号の説明】
【００３２】
１      止水ゴム装置
５      一方の端部止水ゴムユニット
６      他方の端部止水ゴムユニット
７      中間部止水ゴムユニット
８      樋状部
９ａ    張出し部（継手部）
９ｂ    張出し部（継手部）
９ｃ    張出し部（取付け部）
１０    側面
１１      係合凸部
１５      係合凹部
１７      嵌入溝
５３      ウェブ
【図１】
2008184850.tif 000003
【図２】
2008184850.tif 000004
【図３】
2008184850.tif 000005
【図４】
2008184850.tif 000006
【図５】
2008184850.tif 000007
【図６】
2008184850.tif 000008
【図７】
2008184850.tif 000009
【図８】
2008184850.tif 000010
【図９】
2008184850.tif 000011